(57)【要約】【課題】印刷装置の用紙搬送機構におけるバッファ機構部について、用紙搬送開始時にペーパーガイドの倒れ込みによって生じる印刷起動時の印字ブレを防止することと、ペーパーガイドの倒れ込みによるねじりコイルバネ反力の解放によって急激に持ち上がったペーパーガイドが、用紙を激しく叩かないようにすることである。【解決手段】ブレーキ１１により、ペーパーガイド７の倒れ込みを抑えるための抵抗力を発生させる。【選択図】          図２
2004240232.tif 000002
【特許請求の範囲】
【請求項１】
ウェブに像を形成させる印写機構部と、前記印写機構部にウェブを搬送させるウェブ搬送機構と、前記印写機構部を通過した前記ウェブを前記ウェブ搬送機構の駆動源とは独立した駆動源によって排出させる搬送機構部と、前記印写機構部と前記搬送機構部の間に設けられた、揺動可能でウェブの弛みや張りを吸収するペーパーガイドと弾性力発生部材とで構成されたバッファ機構部とを有する印刷装置において、
ペーパーガイドが揺動する一方向にのみ、揺動を抑制する抵抗力が作用する抵抗力発生部材を設けたことを特徴とする印刷装置。
【請求項２】
前記抵抗力発生部材を前記バッファ機構部の軸に貫通する形で取付けたことを特徴とする請求項１記載の印刷装置。
【発明の詳細な説明】
【０００１】
【発明の属する技術分野】
本発明は長尺のウェブに対する印刷装置におけるウェブ搬送機構に関する。
【０００２】
【従来の技術】
図３に、従来技術による印刷装置の一例として電子写真方式を用いた印刷装置の概略図を示す。
【０００３】
印写機構部２３においては感光ドラム１２が回転し、帯電器１３によって感光ドラム表面には電荷が均一に帯電され、文字や図形等のデータが光学ユニット部１４からのレーザー光として照射されることにより感光体表面に潜像が形成される。前記潜像には現像装置１５によってトナーを付着されることで感光体表面にはトナー像が形成される。前記トナー像は転写器１６によってトナー像と逆極性の電荷を用紙１７に与えることで用紙１７上にトナーが転写され、トナー２０が転写された前記用紙は用紙搬送ユニット１８によって両端部を保持された状態か、転写器１６に対して用紙搬送方向上流側に設けられた、駆動ローラと押付けローラからなる挟持搬送ローラユニット２１と転写器１６に対して用紙搬送方向下流側に設けられた、空気の負圧により用紙を穴の開いたベルトに吸着させ搬送させる吸引ベルトユニット２２とによって中央部のみ保持された状態でバッファ機構部２５を経て定着搬送機構部２６へ搬送される。用紙搬送機構部２４とは独立した駆動源を持つ定着搬送機構部２６においては、熱を有した定着ロールと定着ロールとは逆方向に回転するバックアップロールからなる定着搬送ロールユニット２７によって前記用紙を挟み込み、用紙上のトナー像を溶融定着させながら用紙を搬送する。電子写真式印刷装置における用紙搬送形態は、用紙搬送ユニット１８に設けられたピン１９を用紙両端部に設けられた穴に通すことにより、用紙両端部を保持して用紙搬送を行う搬送形態のみであった（例えば、特許文献１参照）が、両端部に穴が設けられていない用紙も搬送可能としたいという要求により、挟持搬送ローラユニット２１と吸引ベルトユニット２２を特許文献１の図１記載の電子写真式印刷装置に追加し、用紙中央部のみを保持して用紙搬送を行う搬送形態を追加してある。これにより、両端部に穴が設けられていない用紙も搬送可能な構造としている。
【０００４】
印刷起動時において、定着搬送機構部２６の駆動源に掛かる負荷の方が用紙搬送機構部２４の駆動源に比べて大きく、目標の用紙搬送速度に達する時間が長く掛かるため、定着搬送機構部２６での用紙搬送開始を用紙搬送機構部２４の搬送開始より先に開始させている。これにより、印刷起動時に用紙１７は定着搬送機構部２６側へ引張られて用紙に掛かるテンションが強まる。このため、印刷起動時（実線表示）から連続印刷時（破線表示）へバネ等でバッファ機構部２５が移動できるようにし、更に、センサ等によりバッファの傾きを監視して用紙搬送機構部２４と定着搬送機構部２６の用紙搬送の速度差を感知し、連続印刷中、定着搬送機構部２６の用紙搬送速度を変えることにより、常に用紙１７に適正なテンションが掛かる構造としている。
【０００５】
図４に、前記電子写真式印刷装置の用紙搬送機構におけるバッファ機構部の構成を示す。
【０００６】
バッファ機構部はペーパーガイド７、ペーパーガイド保持部８、軸９、ねじりコイルバネ１０からなる。軸９はペーパーガイド７を貫通してペーパーガイド保持部８に軸受け等で固定されており、ペーパーガイド７は軸９を中心とする揺動運動を行う。ねじりコイルバネ１０の一端はペーパーガイド７に固定され、他端はペーパーガイド保持部８に固定される。
【０００７】
近年の印刷装置は印刷速度高速化の要求により、印刷速度が飛躍的に向上しているため、印刷起動時における用紙搬送の加速も速くなっている（用紙搬送開始から約３０ｍｓ程で搬送速度が３５ｉｐｓ以上にまで加速する）。そのため、このような従来方式の用紙搬送機構では、先に用紙搬送を開始する定着搬送機構部２６側の用紙搬送開始時にバッファ機構部において、ねじりコイルバネ１０によりペーパーガイド７に作用している反力を上回る衝撃がペーパーガイドに作用する。これにより、図５の７ａに示すようにペーパーガイドが矢印の方向に倒れ込み、バッファ機構部において用紙に掛かっていたテンションが失われる。その結果、用紙１７ａのように用紙に弛みが生じて用紙搬送速度が変動し、印刷起動時の印字にブレが生じて印刷品質が低下してしまうという問題があった。
【０００８】
特に、挟持搬送ローラユニット２１と吸引ベルトユニット２２とによって用紙中央部のみを保持して用紙を搬送する場合では、生じた用紙弛みにより用紙が吸引ベルトユニット２２から離れ易いため、用紙搬送速度変動が生じ易く、印刷起動時の印字ブレが顕著に現れるという問題があった。
【０００９】
また、ペーパーガイドが倒れ込んでペーパーガイドと用紙が離れてしまうことでねじりコイルバネの反力が解放され、ペーパーガイドが急激に持ち上がろうとする動きが生じてペーパーガイドが用紙を激しく叩く。この結果、用紙が激しく振動して振動が転写部に伝播し、転写ブレが生じて印刷品質が低下してしまうという問題があった。
【特許文献１】特開平９−１４６３１６号公報
【発明が解決しようとする課題】
本発明の目的は、用紙搬送開始時にバッファ機構部のペーパーガイドの倒れ込みを抑えることにより、用紙に弛みが生じることを抑えて印刷起動時の印字ブレを防止することと、ねじりコイルバネ反力の解放によりペーパーガイドが急激に持ち上がろうとする揺動を抑えて、ペーパーガイドが用紙を激しく叩かないようにして印刷起動時の転写ブレを防止することである。
【００１０】
【課題を解決するための手段】
上記課題を解決するため、本発明では、ウェブに像を形成させる印写機構部と、前記印写機構部にウェブを搬送させるウェブ搬送機構と、前記印写機構部を通過した前記ウェブを前記ウェブ搬送機構の駆動源とは独立した駆動源によって排出させる搬送機構部と、前記印写機構部と前記搬送機構部の間に設けられた、揺動可能でウェブの弛みや張りを吸収するペーパーガイドと弾性力発生部材とで構成されたバッファ機構部とを有する印刷装置において、ペーパーガイドが揺動する一方向にのみ、揺動を抑制する抵抗力が作用する抵抗力発生部材を設けたことを特徴とする。
【００１１】
また、前記抵抗力発生部材を前記バッファ機構部の軸に貫通する形で取付けたことを特徴とする。
【００１２】
【発明の実施の形態】
図１は、本発明の実施例に基づく電子写真式印刷装置の用紙搬送機構におけるバッファ機構部に設けた、ペーパーガイドの揺動を抑えるための抵抗力発生部材を示す図である。
【００１３】
図２は、本発明の実施例に基づく電子写真式印刷装置の用紙搬送機構におけるバッファ機構部を示す図である。
【００１４】
バッファ機構部はペーパーガイド７、ペーパーガイド保持部８、軸９、ねじりコイルバネ１０、ブレーキ１１およびホルダ６からなる。軸９はペーパーガイド７を貫通してペーパーガイド保持部８に固定されており、ペーパーガイド７は軸９を中心とする揺動運動を行う。ねじりコイルバネ１０の一端はペーパーガイド７に固定され、他端はペーパーガイド保持部８に固定される。さらに、軸９にはブレーキ１１が貫通する形で取り付けられ、ブレーキ１１を保持するホルダ６はペーパーガイド保持部８に固定されている。
【００１５】
ブレーキ１１は内輪１、外輪２、ころ３、ストッパ５からなり、外輪２はフランジ等によってホルダ６に固定され、内輪１のみがころ３により回転する。内輪１は外輪２より側方に飛び出しており、側方に飛び出した部分の断面形状は偏芯形状となっている。
【００１６】
さらに、ホルダ６にはゴム等の弾性材で作られたストッパ５が内輪１の側方に飛び出した部分に掛かる形で接着固定されている。Ａ方向に内輪１が回転する場合、内輪の偏芯部４とゴム等の弾性材で作られたストッパ５が接触して摩擦抵抗が生じることでＡ方向に対する回転抵抗が発生する。
【００１７】
印刷起動時において、先に用紙搬送を開始する定着搬送機構部２６側の用紙搬送開始時に生じる、ねじりコイルバネ１０により、ペーパーガイド７に作用している反力を上回る衝撃がペーパーガイド７に作用することでペーパーガイドはＡ方向に倒れ込もうとする。
【００１８】
ここで、軸９に貫通する形で取り付けられたブレーキ１１において、内輪１もＡ方向に回転することで内輪の偏芯部４とストッパ５が接触し、ペーパーガイドが倒れ込もうとするＡ方向に対する抵抗力が、ねじりコイルバネ１０による反力と併せて生じることで、印刷起動時におけるペーパーガイドの倒れ込みが抑えられる。
【００１９】
この結果、印刷起動時における用紙の弛みが抑えられて用紙搬送速度変動の発生が抑えられる。更に、ペーパーガイドが用紙と離れることも抑えられ、ペーパーガイドが用紙を激しく叩くことも抑えられる。
【００２０】
上記の構成によれば、ブレーキによって印刷起動時にペーパーガイドの倒れ込みが抑制される結果、印刷起動時における用紙の弛みを抑えて印刷起動時の印字ブレが生じることを抑えつつ、ペーパーガイドが用紙を激しく叩くことを抑えて印刷起動時に転写ブレが生じることを防止できる。
【００２１】
【発明の効果】
本発明によれば、ブレーキによって用紙搬送開始時にペーパーガイドの倒れ込みを抑制する力が発生することにより、印刷起動時における用紙の弛みを抑えて印刷起動時の印字ブレ発生を抑えつつ、ペーパーガイドが用紙を激しく叩くことを抑えて印刷起動時の転写ブレを防止し、良好な印刷品質を得ることができる。
【図面の簡単な説明】
【図１】本発明のペーパーガイド揺動抑制のための抵抗力発生部材の構造を示す概略図である。
【図２】本発明のバッファ機構部を示す概略図である。
【図３】従来の印刷装置の概略図である。
【図４】従来のバッファ機構部を示す概略図である。
【図５】従来のバッファ機構部で生じる用紙弛みの様子を示す概略図である。
【符号の説明】
１は内輪、２は外輪、３はころ、５はストッパ、６はホルダ、７はペーパーガイド、８はペーパーガイド保持部、９は軸、１０はねじりコイルバネ、１１はブレーキである。
【図１】
2004240232.tif 000003
【図２】
2004240232.tif 000004
【図３】
2004240232.tif 000005
【図４】
2004240232.tif 000006
【図５】
2004240232.tif 000007